(57)【要約】【課題】蓄電ユニットに接続される導電部材を配置する構成においても、省スペース化を図ることができる蓄電装置を提供する。【解決手段】蓄電装置１は、蓄電素子２０、蓄電素子２０の電極端子に接続されるバスバー４０、及び、外装体１１を有する蓄電ユニット１０と、蓄電ユニット１０に接続される導電部材１２とを備え、外装体１１は、バスバー４０に対向して配置される外面が突出した凸部１１０と、凸部１１０に隣接して配置される外面が凹んだ凹部１２０とを有し、導電部材１２は、凹部１２０に配置される。【選択図】図６
2018156932.tif 000002
【特許請求の範囲】
【請求項１】
蓄電素子、前記蓄電素子の電極端子に接続されるバスバー、及び、外装体を有する第一蓄電ユニットと、
前記第一蓄電ユニットに接続される第一導電部材とを備え、
前記外装体は、
前記バスバーに対向して配置される外面が突出した凸部と、
前記凸部に隣接して配置される外面が凹んだ凹部とを有し、
前記第一導電部材は、前記凹部に配置される
蓄電装置。
【請求項２】
前記凸部は、前記蓄電素子の電極端子に対向して配置される第一凸部を有する
請求項１に記載の蓄電装置。
【請求項３】
前記凹部は、異なる２つの蓄電素子の電極端子に対向して配置される２つの前記第一凸部の間に配置される第一凹部を有する
請求項２に記載の蓄電装置。
【請求項４】
前記凹部は、同一の蓄電素子の２つの電極端子に対向して配置される２つの前記第一凸部の間に配置される第二凹部を有する
請求項２または３に記載の蓄電装置。
【請求項５】
前記バスバーは、異なる２つの蓄電素子の電極端子と接続される２つの端子接続部と、前記２つの端子接続部の間に配置される中間部とを有し、
前記凸部は、前記中間部に対向して配置される第二凸部を有する
請求項１〜４のいずれか一項に記載の蓄電装置。
【請求項６】
前記凹部は、前記２つの端子接続部のうちの少なくとも１つの端子接続部に対向して配置される、前記第二凸部よりも凹んだ第三凹部を有する
請求項５に記載の蓄電装置。
【請求項７】
前記第一導電部材は、前記第一蓄電ユニットに接続される外部配線であり、
前記第一蓄電ユニットは、前記外部配線が接続されるコネクタをさらに有し、
前記コネクタの接続口は、前記凹部の底面に沿う方向かつ前記凹部の内方に向けて開口して配置される
請求項１〜６のいずれか一項に記載の蓄電装置。
【請求項８】
前記コネクタは、前記外装体の中央部に配置される
請求項７に記載の蓄電装置。
【請求項９】
前記外装体は、前記第一導電部材を前記凹部内で保持する保持部を有する
請求項１〜８のいずれか一項に記載の蓄電装置。
【請求項１０】
さらに、
前記第一蓄電ユニットとは異なる第二蓄電ユニットと、
前記第二蓄電ユニットに接続される第二導電部材とを備え、
前記第二導電部材は、前記第一蓄電ユニットの前記凹部に配置される
請求項１〜９のいずれか一項に記載の蓄電装置。
【請求項１１】
前記第一蓄電ユニットは、前記蓄電素子と前記外装体との間に、内部配線が配置されるハーネスプレートをさらに有し、
前記外装体は、前記凹部が形成されていない部分に、前記ハーネスプレートに対向するリブを有する
請求項１〜１０のいずれか一項に記載の蓄電装置。
【請求項１２】
前記第一蓄電ユニットは、サーミスタをさらに有し、
前記リブは、前記サーミスタに隣り合う開口を塞ぐ位置に配置される
請求項１１に記載の蓄電装置。
【発明の詳細な説明】
【技術分野】
【０００１】
本発明は、蓄電素子及び外装体を有する蓄電ユニットと、蓄電ユニットに接続される導電部材とを備える蓄電装置に関する。
【背景技術】
【０００２】
従来、蓄電素子及び外装体を有する蓄電ユニットに、外部配線等の導電部材が接続された構成の蓄電装置が広く知られている。例えば、特許文献１には、電池セル（蓄電素子）及びカバー部材（外装体）を有する電池モジュール（蓄電ユニット）にハーネス（導電部材）が接続されており、当該ハーネスは、カバー部材の両端部に設けられた立設部の間に配置されている構成の電池パック（蓄電装置）が開示されている。
【先行技術文献】
【特許文献】
【０００３】
【特許文献１】特開２０１６−５１５１１号公報
【発明の概要】
【発明が解決しようとする課題】
【０００４】
しかしながら、上記従来の蓄電装置では、蓄電ユニットに接続される導電部材を配置するためにスペースを設けているため、省スペース化を図ることができていないという問題がある。つまり、上記従来の蓄電装置では、導電部材としてのハーネスを配置するために、カバー部材の両端部に立設部を設けているため、立設部の高さがカバー部材の高さに加算されてカバー部材の高さが高くなり、省スペース化を図ることができていない。
【０００５】
本発明は、上記課題に鑑みてなされたものであり、蓄電ユニットに接続される導電部材を配置する構成においても、省スペース化を図ることができる蓄電装置を提供することを目的とする。
【課題を解決するための手段】
【０００６】
上記目的を達成するために、本発明の一態様に係る蓄電装置は、蓄電素子、前記蓄電素子の電極端子に接続されるバスバー、及び、外装体を有する第一蓄電ユニットと、前記第一蓄電ユニットに接続される第一導電部材とを備え、前記外装体は、前記バスバーに対向して配置される外面が突出した凸部と、前記凸部に隣接して配置される外面が凹んだ凹部とを有し、前記第一導電部材は、前記凹部に配置される。
【０００７】
これによれば、蓄電装置において、第一蓄電ユニットの外装体は、バスバーに対向した凸部と、当該凸部に隣接した凹部とを有しており、第一蓄電ユニットに接続される第一導電部材は、当該凹部に配置されている。つまり、第一蓄電ユニットにおいて、バスバーが配置される部分は外方へ突出しているため、当該バスバーに沿って外装体を形成すると、外装体の当該バスバーに対向する位置に凸部が形成され、当該凸部に隣接する位置に凹部が形成される。これにより、第一蓄電ユニットに接続される外部配線等の導電部材を当該凹部に配置することで、当該凹部内の空間を有効活用し、省スペース化を図ることができる。
【０００８】
また、前記凸部は、前記蓄電素子の電極端子に対向して配置される第一凸部を有することにしてもよい。
【０００９】
これによれば、第一蓄電ユニットの外装体において、バスバーに対向して配置される凸部は、蓄電素子の電極端子に対向して配置される第一凸部を有している。つまり、蓄電素子の電極端子は外方へ突出しているため、当該電極端子に沿って外装体を形成すると、外装体の当該電極端子に対向する位置に第一凸部が形成され、第一凸部に隣接する位置に凹部が形成される。これにより、第一蓄電ユニットに接続される外部配線等の導電部材を当該凹部に配置することで、当該凹部内の空間を有効活用し、省スペース化を図ることができる。
【００１０】
また、前記凹部は、異なる２つの蓄電素子の電極端子に対向して配置される２つの前記第一凸部の間に配置される第一凹部を有することにしてもよい。
【００１１】
これによれば、第一蓄電ユニットの外装体には、異なる２つの蓄電素子の電極端子に対向した２つの第一凸部の間に、第一凹部が形成されている。つまり、異なる蓄電素子の電極端子間の隙間に対向して、外装体の外面に第一凹部を形成し、当該第一凹部に導電部材を配置することで、異なる蓄電素子の電極端子間の隙間を有効活用し、省スペース化を図ることができる。
【００１２】
また、前記凹部は、同一の蓄電素子の２つの電極端子に対向して配置される２つの前記第一凸部の間に配置される第二凹部を有することにしてもよい。
【００１３】
これによれば、第一蓄電ユニットの外装体には、同一の蓄電素子の２つの電極端子に対向した２つの第一凸部の間に、第二凹部が形成されている。つまり、同一の蓄電素子の電極端子間の隙間に対向して、外装体の外面に第二凹部を形成し、当該第二凹部に導電部材を配置することで、同一の蓄電素子の電極端子間の隙間を有効活用し、省スペース化を図ることができる。
【００１４】
また、前記バスバーは、異なる２つの蓄電素子の電極端子と接続される２つの端子接続部と、前記２つの端子接続部の間に配置される中間部とを有し、前記凸部は、前記中間部に対向して配置される第二凸部を有することにしてもよい。
【００１５】
これによれば、第一蓄電ユニットの外装体は、バスバーの当該中間部に対向して配置される第二凸部を有している。つまり、第一蓄電ユニットにおいて、一般的に、バスバーのうちの当該中間部は外方へ突出しているため、当該中間部に沿って外装体を形成すると、外装体の当該中間部に対向する位置に第二凸部が形成され、第二凸部に隣接する位置に凹部が形成される。これにより、第一蓄電ユニットに接続される外部配線等の導電部材を当該凹部に配置することで、当該凹部内の空間を有効活用し、省スペース化を図ることができる。
【００１６】
また、前記凹部は、前記２つの端子接続部のうちの少なくとも１つの端子接続部に対向して配置される、前記第二凸部よりも凹んだ第三凹部を有することにしてもよい。
【００１７】
これによれば、第一蓄電ユニットの外装体は、バスバーの端子接続部に対向して配置される第三凹部を有している。つまり、第一蓄電ユニットにおいて、一般的に、バスバーのうちの端子接続部は中間部よりも凹んでいるため、当該バスバーに沿って外装体を形成すると、端子接続部に対向した第三凹部が形成される。これにより、第一蓄電ユニットに接続される外部配線等の導電部材を第三凹部に配置することで、第三凹部内の空間を有効活用し、省スペース化を図ることができる。
【００１８】
また、前記第一導電部材は、前記第一蓄電ユニットに接続される外部配線であり、前記第一蓄電ユニットは、前記外部配線が接続されるコネクタをさらに有し、前記コネクタの接続口は、前記凹部の底面に沿う方向かつ前記凹部の内方に向けて開口して配置されることにしてもよい。
【００１９】
これによれば、第一蓄電ユニットは、第一導電部材としての外部配線が接続されるコネクタを有しており、コネクタの接続口は、外装体の凹部の底面に沿う方向かつ当該凹部の内方に向けて開口して配置されている。このように、コネクタの接続口が外装体の凹部に向いて開口しているため、外部配線を凹部に配置してコネクタに接続することができる。これにより、当該凹部を、外部配線をコネクタに接続するためのスペースとして有効活用することができるため、省スペース化を図ることができる。
【００２０】
また、前記コネクタは、前記外装体の中央部に配置されることにしてもよい。
【００２１】
これによれば、コネクタを外装体の中央部に配置することで、外部の衝撃等から、コネクタ及びそれに接続された外部配線を保護することができる。つまり、コネクタを外装体の中央部に位置する凹部に配置することで、コネクタの外方には凸部が配置されるため、当該凸部によって、コネクタ及び外部配線が外部の部材と干渉するのが抑制され、コネクタ及び外部配線を効果的に保護することができる。例えば、外部配線が蓄電素子の電極端子に電気的に接続されていれば、外部配線同士が接触して短絡を起こすおそれがあるため、それを保護することができる。このように、コネクタを外装体の中央部に配置することで、省スペース化を図りつつ、コネクタ及び外部配線を効果的に保護することができる。
【００２２】
また、前記外装体は、前記第一導電部材を前記凹部内で保持する保持部を有することにしてもよい。
【００２３】
これによれば、外装体は、第一導電部材を凹部内で保持する保持部を有しているため、外装体の凹部で導電部材を保持して、導電部材が凹部から浮き上がったり外装体から外れたりするのを抑制することができる。このように、第一導電部材を凹部内で保持して凹部からはみ出さないようにすることで、省スペース化を図ることができる。
【００２４】
また、さらに、前記第一蓄電ユニットとは異なる第二蓄電ユニットと、前記第二蓄電ユニットに接続される第二導電部材とを備え、前記第二導電部材は、前記第一蓄電ユニットの前記凹部に配置されることにしてもよい。
【００２５】
これによれば、蓄電装置は、第二蓄電ユニットと、第二蓄電ユニットに接続される第二導電部材とをさらに備えており、第二導電部材は、第一蓄電ユニットの外装体の凹部に配置される。このように、第一蓄電ユニットの外装体の凹部内の空間を、第二蓄電ユニットに接続される第二導電部材を配置するスペースとしても有効活用することで、省スペース化を図ることができる。
【００２６】
また、前記第一蓄電ユニットは、前記蓄電素子と前記外装体との間に、内部配線が配置されるハーネスプレートをさらに有し、前記外装体は、前記凹部が形成されていない部分に、前記ハーネスプレートに対向するリブを有することにしてもよい。
【００２７】
これによれば、外装体には、凹部が形成されていない部分に、ハーネスプレートに対向するリブが設けられている。つまり、外装体の凹部が形成されていない部分には、ハーネスプレートとの間に隙間が生じているため、ハーネスプレートとの間にリブを配置する。このように、外装体に導電部材を配置するための凹部を形成したとしても、それに伴うハーネスプレートとの間の隙間をリブが埋めることができるため、ハーネスプレート、及びハーネスプレート上の内部配線やコネクタ等が、浮き上がるのを抑制することができる。
【００２８】
また、前記第一蓄電ユニットは、サーミスタをさらに有し、前記リブは、前記サーミスタに隣り合う開口を塞ぐ位置に配置されることにしてもよい。
【００２９】
これによれば、外装体のリブは、サーミスタに隣り合う開口を塞ぐ位置に配置されるため、サーミスタ付近の開口を外装体のリブで塞ぐことで、サーミスタが外部の温度により影響を受けるのを抑制することができる。このように、ハーネスプレートとの間の隙間を埋める外装体のリブを、サーミスタ付近の開口を塞ぐリブとしても活用することができる。
【００３０】
なお、本発明は、蓄電装置として実現することができるだけでなく、当該蓄電装置が備える外装体としても実現することができる。
【発明の効果】
【００３１】
本発明における蓄電装置によれば、蓄電ユニットに接続される導電部材を配置する構成においても、省スペース化を図ることができる。
【図面の簡単な説明】
【００３２】
【図１】実施の形態に係る蓄電ユニットの外観を示す斜視図である。
【図２】実施の形態に係る蓄電ユニットを分解した場合の各構成要素を示す分解斜視図である。
【図３】実施の形態に係る蓄電ユニットの蓋体の構成を示す斜視図である。
【図４】実施の形態に係る蓄電ユニットの蓋体まわりの構成を示す断面図である。
【図５】実施の形態に係る蓄電ユニットの蓋体まわりの構成を示す断面図である。
【図６】実施の形態に係る蓄電装置の構成を示す平面図である。
【図７】実施の形態の変形例に係る蓄電ユニットの蓋体まわりの構成を示す断面図である。
【図８】実施の形態の変形例に係る蓄電装置の構成を示す平面図である。
【発明を実施するための形態】
【００３３】
以下、図面を参照しながら、本発明の実施の形態に係る蓄電装置について説明する。なお、以下で説明する実施の形態は、包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００３４】
また、以下の説明及び図面中において、１つの蓄電素子における電極端子の並び方向、蓄電素子の容器の短側面の対向方向、または、蓄電ユニットの外装体の長側面の対向方向をＸ軸方向と定義する。また、複数の蓄電素子の並び方向、蓄電素子の容器の長側面の対向方向、当該容器の厚さ方向、または、蓄電ユニットの外装体の短側面の対向方向をＹ軸方向と定義する。また、蓄電ユニットの外装体本体と外蓋との並び方向、蓄電素子と中蓋とハーネスプレートと外蓋との並び方向、蓄電素子の容器本体と蓋との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００３５】
（実施の形態）
まず、本実施の形態における蓄電装置１（図６参照）が備える蓄電ユニット１０の構成について説明する。図１は、本実施の形態に係る蓄電ユニット１０の外観を示す斜視図である。図２は、本実施の形態に係る蓄電ユニット１０を分解した場合の各構成要素を示す分解斜視図である。
【００３６】
蓄電ユニット１０は、外部からの電気を充電し、また外部へ電気を放電することができる装置である。例えば、蓄電ユニット１０は、電力貯蔵用途や電源用途などに使用される電池モジュールである。具体的には、蓄電ユニット１０は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００３７】
図１及び図２に示すように、蓄電ユニット１０は、蓋体１００及び外装体本体２００からなる外装体１１と、外装体１１内方に収容される複数の蓄電素子２０、中蓋３０、複数のバスバー４０、ハーネスプレート５０及び内部配線６０等とを備えている。
【００３８】
外装体１１は、蓄電ユニット１０の外装体を構成する矩形状（箱状）の容器（モジュールケース）である。つまり、外装体１１は、蓄電素子２０やハーネスプレート５０等の外方に配置され、これら蓄電素子２０等を所定の位置に配置し、衝撃などから保護する。また、外装体１１は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１１は、これにより、蓄電素子２０等が金属部材などに接触することを回避する。
【００３９】
ここで、外装体１１は、外装体１１の蓋体（外蓋）を構成する扁平な矩形状の蓋体１００と、外装体１１の本体を構成する外装体本体２００とを有している。外装体本体２００は、開口が形成された有底矩形筒状のハウジングである。つまり、外装体本体２００の開口を塞ぐように、蓋体１００が配置される。なお、蓋体１００及び外装体本体２００は、同じ材質の部材で形成されていてもよいし、異なる材質の部材で形成されていてもかまわない。また、蓋体１００の中央部には、矩形状の貫通孔である開口部１００ａが形成され、蓋体１００のＸ軸方向プラス側かつＹ軸方向両側の角部には、矩形状の切欠きである開口部１００ｂが形成され、蓋体１００のＸ軸方向中央かつＹ軸方向マイナス側には、矩形状の切欠きである開口部１００ｃが形成されている。この蓋体１００の構成の詳細な説明については、後述する。
【００４０】
蓄電素子２０は、電気を充電し、また、電気を放電することのできる二次電池（単電池）であり、より具体的には、リチウムイオン二次電池などの非水電解質二次電池である。蓄電素子２０は、扁平な直方体形状（角型）の形状を有しており、本実施の形態では、８個の蓄電素子２０（蓄電素子２０Ａ〜２０Ｈ）がＹ軸方向に配列されている。なお、蓄電素子２０の形状や、配列される蓄電素子２０の個数は限定されない。また、蓄電素子２０は、非水電解質二次電池には限定されず、非水電解質二次電池以外の二次電池であってもよいし、キャパシタであってもよく、さらに、使用者が充電をしなくても蓄えられている電気を使用できる一次電池であってもよい。
【００４１】
具体的には、蓄電素子２０は、金属製の容器２１を備え、容器２１の蓋部分には、金属製の電極端子である正極端子２２及び負極端子２３が設けられている。なお、容器２１の蓋部分には、電解液を注液する注液部や、容器２１内の圧力上昇時にガスを排出して圧力を開放するガス排出弁等が設けられていてもよい。また、容器２１の内方には、電極体（蓄電要素または発電要素ともいう）及び集電体（正極集電体及び負極集電体）等が配置され、電解液（非水電解質）などが封入されているが、詳細な説明は省略する。
【００４２】
ここで、正極端子２２及び負極端子２３は、容器２１の蓋部分から、蓋体１００に向けて（上方、つまりＺ軸方向プラス側に向けて）突出して配置された、ネジ山が形成されたボルト部を有するボルト端子である。そして、複数の蓄電素子２０の最も外側の電極端子である蓄電素子２０Ａの負極端子２３と蓄電素子２０Ｈの正極端子２２とが、蓋体１００のＸ軸方向プラス側かつＹ軸方向両側の角部に形成された開口部１００ｂから、露出して配置される。この最も外側の電極端子が外部端子（図示せず）に接続される、または、この最も外側の電極端子が外部端子として機能することにより、蓄電ユニット１０が、外部からの電気を充電し、また外部へ電気を放電することができる。
【００４３】
中蓋３０は、外装体１１の中蓋を構成する扁平な矩形状の部材であり、外装体本体２００の補強を行う機能を有している。また、中蓋３０は、ハーネスプレート５０と蓄電素子２０との間に配置され、ハーネスプレート５０を下方から保持するとともに、蓄電素子２０を上方から保持する。中蓋３０は、例えば、ＰＣ、ＰＰ、ＰＥ、ＰＰＳ、ＰＢＴまたはＡＢＳ樹脂等の絶縁材料により構成されている。また、中蓋３０のＸ軸方向プラス側かつＹ軸方向両側の角部には、開口部３１が形成されている。この開口部３１は、後述のサーミスタ６３と蓄電素子２０の電極端子とを繋ぐ接続部材４１を挿通させるための開口である。
【００４４】
バスバー４０は、複数の蓄電素子２０上（中蓋３０上）に配置され、複数の蓄電素子２０の電極端子同士を電気的に接続する矩形状の板状部材である。バスバー４０は、例えば、銅、銅合金、アルミニウム、アルミニウム合金等の金属製の導電部材で形成されている。具体的には、バスバー４０には貫通孔が形成されており、当該貫通孔に蓄電素子２０の電極端子のボルト部が挿入されて、当該ボルト部にナットが締結されることで、バスバー４０と電極端子とが接続される。本実施の形態では、バスバー４０は、隣り合う蓄電素子２０の正極端子２２と負極端子２３とを接続することで、８個の蓄電素子２０を直列に接続している。なお、蓄電素子２０の接続の態様は上記には限定されず、直列接続及び並列接続がどのように組み合わされていてもよい。
【００４５】
また、上述の通り、複数の蓄電素子２０の最も外側の電極端子である蓄電素子２０Ａの負極端子２３と蓄電素子２０Ｈの正極端子２２とに対応した位置には、接続部材４１が配置されている。接続部材４１は、当該最も外側の電極端子とサーミスタ６３とを接続する部材である。つまり、接続部材４１には貫通孔が形成されており、当該貫通孔にこれらの最も外側の電極端子のボルト部が挿入され、また、接続部材４１の先端部にサーミスタ６３が接続されることで、当該電極端子の温度を計測することができる構成になっている。また、接続部材４１は、先端部が中蓋３０の開口部３１に挿入されており、当該先端部以外の当該電極端子に接続される部分は、蓋体１００の角部に形成された開口部１００ｂから露出して配置されている。
【００４６】
ハーネスプレート５０は、内部配線６０、コネクタ６１、６２、及びサーミスタ６３等の電装部品が配置される扁平な矩形状の部材であり、蓄電素子２０と蓋体１００との間に配置されている。ハーネスプレート５０は、例えば、ＰＣ、ＰＰ、ＰＥ、ＰＰＳ、ＰＢＴまたはＡＢＳ樹脂等の絶縁材料により構成されている。つまり、ハーネスプレート５０は、中蓋３０上に載置されて、内部配線６０、コネクタ６１、６２、及びサーミスタ６３等を保持し、当該内部配線６０等と他の部材との絶縁、及び、当該内部配線６０等の位置規制等を行う。
【００４７】
内部配線６０は、例えば、蓄電素子２０の各電極端子とコネクタ６１とを接続する配線、及び、サーミスタ６３とコネクタ６２とを接続する配線など、各種接続を行うための配線を含む内部ハーネスであり、ハーネスプレート５０に取り付けられている。
【００４８】
コネクタ６１は、蓄電素子２０の各電極端子と接続される高電圧用のコネクタである。コネクタ６１は、ハーネスプレート５０に取り付けられて、蓋体１００の中央部に形成された開口部１００ａから、露出して配置される。コネクタ６２は、サーミスタ６３と接続される低電圧用のコネクタである。コネクタ６２は、ハーネスプレート５０に取り付けられて、蓋体１００のＸ軸方向中央かつＹ軸方向マイナス側に形成された開口部１００ｃから、露出して配置される。これにより、コネクタ６１は、外装体１１の中央部に配置され、コネクタ６２は、外装体１１の端部に配置される。また、コネクタ６１、６２は、接続口が外方へ向けて開口して配置され、当該接続口に外部配線が接続される。
【００４９】
サーミスタ６３は、ハーネスプレート５０に取り付けられて、接続部材４１を介して蓄電素子２０の電極端子に接続され、当該電極端子の温度を計測する（つまり蓄電素子２０の温度を計測する）温度センサである。本実施の形態では、２つのサーミスタ６３が配置されているが、サーミスタ６３の個数は特に限定されない。
【００５０】
次に、蓄電ユニット１０の蓋体１００の構成、及び、蓋体１００まわりの構成について、詳細に説明する。図３は、本実施の形態に係る蓄電ユニット１０の蓋体１００の構成を示す斜視図である。具体的には、図３の（ａ）は、図２に示された蓋体１００の構成を拡大して示す斜視図であり、図３の（ｂ）は、図３の（ａ）の蓋体１００を斜め下方から見た場合の斜視図である。また、図４及び図５は、本実施の形態に係る蓄電ユニット１０の蓋体１００まわりの構成を示す断面図である。具体的には、図４は、図１に示された蓄電ユニット１０をＩＶ−ＩＶ線を含むＸＺ平面に平行な面で切断した場合の蓋体１００まわりの構成を示す断面図である。また、図５は、図１に示された蓄電ユニット１０をＶ−Ｖ線を含むＹＺ平面に平行な面で切断した場合の蓋体１００まわりの構成を示す断面図である。
【００５１】
これらの図に示すように、蓋体１００は、バスバー４０に対向して配置される外面が突出した凸部１１０と、凸部１１０に隣接して配置される外面が凹んだ凹部１２０とを有している。本実施の形態では、凸部１１０は、蓄電素子２０の電極端子に対向して配置される凸部である。なお、凸部１１０は、第一凸部の一例である。
【００５２】
具体的には、凸部１１０は、蓄電素子２０Ｂの負極端子２３及び正極端子２２に対向する位置に、凸部１１１及び１１２を有している。つまり、凸部１１０は、蓄電素子２０Ｂの負極端子２３に接続されたバスバー４０、及び、蓄電素子２０Ｂの正極端子２２に接続されたバスバー４０に対向する位置に、凸部１１１及び１１２を有している。また、凸部１１０は、蓄電素子２０Ｃの正極端子２２及び負極端子２３に対向する位置に、凸部１１３及び１１４を有している。つまり、凸部１１０は、蓄電素子２０Ｃの正極端子２２に接続されたバスバー４０、及び、蓄電素子２０Ｃの負極端子２３に接続されたバスバー４０に対向する位置に、凸部１１３及び１１４を有している。
【００５３】
同様に、凸部１１０は、蓄電素子２０Ｄの負極端子２３及び正極端子２２、並びに、蓄電素子２０Ｅの正極端子２２及び負極端子２３のぞれぞれの電極端子に対向する位置に、凸部１１５〜１１８を有している。つまり、凸部１１０は、蓄電素子２０Ｄの負極端子２３に接続されたバスバー４０、蓄電素子２０Ｄの正極端子２２に接続されたバスバー４０、蓄電素子２０Ｅの正極端子２２に接続されたバスバー４０、及び、蓄電素子２０Ｅの負極端子２３に接続されたバスバー４０に対向する位置に、凸部１１５〜１１８を有している。
【００５４】
なお、凸部１１１及び１１２は、蓄電素子２０Ａの正極端子２２に対向する凸部とともに接続されて、１つの大きな凸部１０１を形成している。この凸部１０１の、蓄電素子２０Ａの負極端子２３に対向する位置には、開口部１００ｂが形成されている。また、凸部１１７及び１１８は、蓄電素子２０Ｆ及び２０Ｇの正極端子２２及び負極端子２３と蓄電素子２０Ｈの負極端子２３とに対向する凸部とともに接続されて、１つの大きな凸部１０２を形成している。この凸部１０２の、蓄電素子２０Ｈの正極端子２２に対向する位置には、開口部１００ｂが形成されている。
【００５５】
ここで、凸部１１０（凸部１１１〜１１８）は、蓋体１００の外面が突出し、かつ内面が凹んで形成された凹凸構造の部位であり、内面の凹んだ部分に、蓄電素子２０の電極端子のボルト部及びナットが配置される。つまり、凸部１１０は、蓄電素子２０の電極端子の上部の周囲及び上方を覆うように配置されている。
【００５６】
また、凹部１２０は、異なる２つの蓄電素子２０の電極端子に対向して配置される２つの凸部１１０の間に配置される第一凹部１２１〜１２６を有している。具体的には、第一凹部１２１は、隣り合う２つの蓄電素子２０の電極端子である蓄電素子２０Ｂの負極端子２３及び蓄電素子２０Ｃの正極端子２２に対向した２つの凸部１１０である凸部１１１及び１１３の間に配置される凹部である。同様に、第一凹部１２２は、蓄電素子２０Ｂの正極端子２２及び蓄電素子２０Ｃの負極端子２３に対向した凸部１１２及び１１４の間に配置される凹部である。第一凹部１２３〜１２６についても、同様である。
【００５７】
また、凹部１２０は、同一の蓄電素子２０の２つの電極端子に対向して配置される２つの凸部１１０の間に配置される第二凹部１２７〜１２９を有している。具体的には、第二凹部１２７は、蓄電素子２０Ｂの負極端子２３及び正極端子２２に対向した２つの凸部１１０である凸部１１１及び１１２の間に配置される凹部である。同様に、第二凹部１２８は、蓄電素子２０Ｃの正極端子２２及び負極端子２３に対向した凸部１１３及び１１４の間、第二凹部１２９は、蓄電素子２０Ｄの負極端子２３及び正極端子２２に対向した凸部１１５及び１１６の間に配置される凹部である。
【００５８】
このように、凹部１２０は、第一凹部１２１〜１２６及び第二凹部１２７〜１２９が接続されて形成された１つの大きな凹部であり、底面１０３を有している。そして、この凹部１２０の底面１０３と凸部１０２との境界位置に、開口部１００ａが形成されている。そして、開口部１００ａに、コネクタ６１が配置される。これにより、図４に示すように、コネクタ６１の接続口６１ａは、凹部１２０の底面１０３に沿う方向かつ凹部１２０の内方に向けて開口して配置される。
【００５９】
また、外装体１１は、凹部１２０が形成されていない部分に、ハーネスプレート５０に対向するリブ１３０、１３１を有している。つまり、蓋体１００の凸部１１０（凸部１０１及び１０２）の内面（Ｚ軸方向マイナス側の面）に、下方（Ｚ軸方向マイナス側）に突出する矩形状のリブ１３０、１３１が配置されている。具体的には、図５に示すように、リブ１３０は、ハーネスプレート５０に向けて突出し、先端がハーネスプレート５０の上面に当接する位置に配置されている。
【００６０】
また、リブ１３１は、中蓋３０に向けて突出し、中蓋３０の開口部３１を塞ぐ位置に配置されている。つまり、リブ１３１は、サーミスタ６３に隣り合う開口である開口部３１を塞ぐ位置に配置されている。本実施の形態では、リブ１３１は、サーミスタ６３に接続された接続部材４１の先端部の上面に当接するように配置されて、サーミスタ６３を上方から押さえるとともに、サーミスタ６３近傍の開口部３１の少なくとも一部を塞いでいる。
【００６１】
また、蓋体１００には、外部配線を凹部１２０内で保持する保持部１１３ａ、１１４ａが設けられている。保持部１１３ａ、１１４ａは、凸部１１３と凸部１１４との間に、凸部１１３、１１４と連続して形成された凸部であり、先端部分に貫通孔が形成されている。つまり、蓄電ユニット１０に外部配線が接続され、当該外部配線が凹部１２０に配置されて、保持部１１３ａ、１１４ａによって凹部１２０内で保持される。これらのことについて、以下に詳細に説明する。図６は、本実施の形態に係る蓄電装置１の構成を示す平面図である。
【００６２】
同図に示すように、蓄電装置１は、３つの蓄電ユニット１０である第一蓄電ユニット１０Ａ、第二蓄電ユニット１０Ｂ及び第三蓄電ユニット１０Ｃと、３つの導電部材１２である第一導電部材１２Ａ、第二導電部材１２Ｂ及び第三導電部材１２Ｃとを備えている。第一導電部材１２Ａは、第一蓄電ユニット１０Ａに接続される外部配線（外部ハーネス）である。同様に、第二導電部材１２Ｂ及び第三導電部材１２Ｃは、第二蓄電ユニット１０Ｂ及び第三蓄電ユニット１０Ｃに接続される外部配線（外部ハーネス）である。
【００６３】
そして、第一導電部材１２Ａは、第一蓄電ユニット１０Ａのコネクタ６１に接続され、第二導電部材１２Ｂは、第二蓄電ユニット１０Ｂのコネクタ６１に接続され、第三導電部材１２Ｃは、第三蓄電ユニット１０Ｃのコネクタ６１に接続される。この際、第一導電部材１２Ａは、第一蓄電ユニット１０Ａの凹部１２０に配置され、第二導電部材１２Ｂは、第一蓄電ユニット１０Ａの凹部１２０及び第二蓄電ユニット１０Ｂの凹部１２０に配置される。同様に、第三導電部材１２Ｃは、第一蓄電ユニット１０Ａの凹部１２０、第二蓄電ユニット１０Ｂの凹部１２０及び第三蓄電ユニット１０Ｃの凹部１２０に配置される。
【００６４】
具体的には、第一導電部材１２Ａは、第一蓄電ユニット１０Ａの第一凹部１２５に配置される。また、第二導電部材１２Ｂは、第一蓄電ユニット１０Ａの第一凹部１２３及び１２４、並びに、第二蓄電ユニット１０Ｂの第一凹部１２３及び第二凹部１２９に配置される。同様に、第三導電部材１２Ｃは、第一蓄電ユニット１０Ａの第一凹部１２１及び１２２、第二蓄電ユニット１０Ｂの第一凹部１２１及び１２２、並びに、第三蓄電ユニット１０Ｃの第一凹部１２１、第二凹部１２８及び１２９に配置される。なお、これらの導電部材１２（外部配線）は、基板等に接続され、蓄電装置１内の蓄電素子２０の充放電等についての制御等が行われる。
【００６５】
また、それぞれの蓄電ユニット１０は、導電部材１２を覆うハーネスカバー７０を備えている。つまり、それぞれの蓄電ユニット１０の外装体１１の蓋体１００には、保持部１１３ａ、１１４ａが設けられている。そして、この保持部１１３ａ、１１４ａにハーネスカバー７０が載置されて固定されることで、導電部材１２が凹部１２０内で保持される。例えば、ハーネスカバー７０に設けられた突起が、保持部１１３ａ、１１４ａに形成された貫通孔に挿入（嵌合）される等によって、ハーネスカバー７０が蓋体１００に固定される。
【００６６】
以上のように、本発明の実施の形態に係る蓄電装置１によれば、蓄電ユニット１０の外装体１１は、バスバー４０に対向した凸部１１０と、凸部１１０に隣接した凹部１２０とを有しており、蓄電ユニット１０に接続される導電部材１２は、凹部１２０に配置されている。つまり、蓄電ユニット１０において、バスバー４０が配置される部分は外方へ突出しているため、バスバー４０に沿って外装体１１を形成すると、外装体１１のバスバー４０に対向する位置に凸部１１０が形成され、当該凸部１１０に隣接する位置に凹部１２０が形成される。これにより、蓄電ユニット１０に接続される外部配線等の導電部材１２を凹部１２０に配置することで、凹部１２０内の空間を有効活用し、省スペース化を図ることができる。
【００６７】
また、蓄電素子２０の電極端子は外方へ突出しているため、当該電極端子に沿って外装体１１を形成すると、外装体１１の当該電極端子に対向する位置に凸部１１０が形成され、凸部１１０に隣接する位置に凹部１２０が形成される。これにより、蓄電ユニット１０に接続される外部配線等の導電部材１２を凹部１２０に配置することで、凹部１２０内の空間を有効活用し、省スペース化を図ることができる。
【００６８】
また、蓄電ユニット１０の外装体１１には、異なる２つの蓄電素子２０の電極端子に対向した２つの凸部１１０の間に、第一凹部１２１〜１２６が形成されている。つまり、異なる蓄電素子２０の電極端子間の隙間に対向して、外装体１１の外面に第一凹部１２１〜１２６を形成し、第一凹部１２１〜１２６のいずれかの凹部に導電部材１２を配置することで、異なる蓄電素子２０の電極端子間の隙間を有効活用し、省スペース化を図ることができる。
【００６９】
また、蓄電ユニット１０の外装体１１には、同一の蓄電素子２０の２つの電極端子に対向した２つの凸部１１０の間に、第二凹部１２７〜１２９が形成されている。つまり、同一の蓄電素子２０の電極端子間の隙間に対向して、外装体１１の外面に第二凹部１２７〜１２９を形成し、第二凹部１２７〜１２９のいずれかの凹部に導電部材１２を配置することで、同一の蓄電素子２０の電極端子間の隙間を有効活用し、省スペース化を図ることができる。
【００７０】
また、蓄電ユニット１０は、導電部材１２としての外部配線が接続されるコネクタ６１を有しており、コネクタ６１の接続口６１ａは、外装体１１の凹部１２０の底面１０３に沿う方向かつ凹部１２０の内方に向けて開口して配置されている。このように、コネクタ６１の接続口６１ａが外装体１１の凹部１２０に向いて開口しているため、外部配線を凹部１２０に配置してコネクタ６１に接続することができる。これにより、凹部１２０を、外部配線をコネクタ６１に接続するためのスペースとして有効活用することができるため、省スペース化を図ることができる。
【００７１】
また、コネクタ６１を外装体１１の中央部に配置することで、外部の衝撃等から、コネクタ６１及びそれに接続された外部配線（導電部材１２）を保護することができる。つまり、コネクタ６１を外装体１１の中央部に位置する凹部に配置することで、コネクタ６１の外方には凸部１１０が配置されるため、凸部１１０によって、コネクタ６１及び外部配線が外部の部材と干渉するのが抑制され、コネクタ６１及び外部配線を効果的に保護することができる。例えば、外部配線が蓄電素子２０の電極端子に電気的に接続されていれば、外部配線同士が接触して短絡を起こすおそれがあるため、それを保護することができる。このように、コネクタ６１を外装体１１の中央部に配置することで、省スペース化を図りつつ、コネクタ６１及び外部配線を効果的に保護することができる。
【００７２】
また、外装体１１は、導電部材１２を凹部１２０内で保持する保持部１１３ａ、１１４ａを有している。つまり、ハーネスカバー７０が蓋体１００の保持部１１３ａ、１１４ａに保持されることで、導電部材１２が凹部１２０内で保持されている。このため、外装体１１の凹部１２０で導電部材１２を保持して、導電部材１２が凹部１２０から浮き上がったり外装体１１から外れたりするのを抑制することができる。このように、導電部材１２を凹部１２０内で保持して凹部１２０からはみ出さないようにすることで、省スペース化を図ることができる。
【００７３】
また、蓄電装置１は、蓄電ユニット１０である第一蓄電ユニット１０Ａ及び第二蓄電ユニット１０Ｂ等と、導電部材１２である第一導電部材１２Ａ及び第二導電部材１２Ｂ等とを備えており、第二導電部材１２Ｂは、第一蓄電ユニット１０Ａの外装体１１の凹部１２０に配置される。このように、第一蓄電ユニット１０Ａの外装体１１の凹部１２０内の空間を、第二蓄電ユニット１０Ｂに接続される第二導電部材１２Ｂを配置するスペースとしても有効活用することで、省スペース化を図ることができる。
【００７４】
また、外装体１１には、凹部１２０が形成されていない部分に、ハーネスプレート５０に対向するリブ１３０、１３１が設けられている。つまり、外装体１１の凹部１２０が形成されていない部分には、ハーネスプレート５０との間に隙間が生じているため、ハーネスプレート５０との間にリブ１３０、１３１を配置する。このように、外装体１１に導電部材１２を配置するための凹部１２０を形成したとしても、それに伴うハーネスプレート５０との間の隙間をリブ１３０、１３１が埋めることができるため、ハーネスプレート５０、及びハーネスプレート５０上の内部配線６０やコネクタ６１、６２等が、浮き上がるのを抑制することができる。
【００７５】
また、外装体１１のリブ１３１は、サーミスタ６３に隣り合う開口部３１を塞ぐ位置に配置されるため、サーミスタ６３付近の開口部３１を外装体１１のリブ１３１で塞ぐことで、サーミスタ６３が外部の温度により影響を受けるのを抑制することができる。このように、ハーネスプレート５０との間の隙間を埋める外装体１１のリブ１３１を、サーミスタ６３付近の開口部３１を塞ぐリブとしても活用することができる。
【００７６】
（変形例）
次に、上記実施の形態の変形例について、説明する。上記実施の形態では、蓄電素子２０の電極端子はボルト部を有するボルト端子であり、当該ボルト部がバスバー４０の貫通孔に挿入されて当該ボルト部にナットが締結されることで、蓄電素子２０の電極端子とバスバー４０とが接続されることとした。しかし、本変形例では、蓄電素子の電極端子は、ボルト部を有しておらず、溶接にてバスバーと接続（接合）される溶接端子である。
【００７７】
図７は、本実施の形態の変形例に係る蓄電ユニットの蓋体３００まわりの構成を示す断面図である。また、図８は、本実施の形態の変形例に係る蓄電ユニットの構成を示す平面図である。なお、図７は、図５の一部に対応する図であり、図８は、図６の一部に対応する図である。
【００７８】
図７及び図８に示すように、本変形例における蓄電素子２０（同図では、蓄電素子２０Ｉ〜２０Ｋ）は、上記実施の形態における蓄電素子２０の正極端子２２及び負極端子２３に代えて、正極端子２４及び負極端子２５を有している。また、本変形例におけるバスバー４２は、端子接続部４２ａと中間部４２ｂとを有している。
【００７９】
正極端子２４及び負極端子２５は、バスバー４２と溶接によって接続（接合）される溶接端子である。具体的には、正極端子２４及び負極端子２５は、バスバー４２の端子接続部４２ａと溶接によって接合される。例えば、蓄電素子２０Ｉの正極端子２４が、バスバー４２のうちの一方の端子接続部４２ａと溶接接合され、蓄電素子２０Ｊの負極端子２５が、バスバー４２のうちの他方の端子接続部４２ａと溶接接合される。
【００８０】
つまり、端子接続部４２ａは、バスバー４２のうちの、蓄電素子２０の電極端子と接続される部位であり、１つのバスバー４２に対して、異なる２つの蓄電素子２０の電極端子と接続される２つの端子接続部４２ａが配置されている。また、中間部４２ｂは、２つの端子接続部４２ａの間に配置される部位である。なお、中間部４２ｂは、バスバー４２がＹ軸方向およびＺ軸方向に伸縮可能なように設けられた湾曲部分（ヒンジ部）であり、２つの端子接続部４２ａからＺ軸方向プラス側に突出して設けられている。
【００８１】
また、本変形例における蓋体３００は、上記実施の形態における蓋体１００の凸部１１０及び凹部１２０に代えて、凸部３１０及び凹部３２０を有している。つまり、凸部３１０は、バスバー４２に対向して配置される外面が突出した凸部であり、凹部３２０は、凸部３１０に隣接して配置される外面が凹んだ凹部である。
【００８２】
ここで、凸部３１０は、蓄電素子２０の電極端子（同図では、蓄電素子２０Ｉ〜２０Ｋの正極端子２４及び負極端子２５）に対向して配置される第一凸部３１１を有している。つまり、第一凸部３１１は、バスバー４２の端子接続部４２ａに対向して配置されている。具体的には、第一凸部３１１は、蓄電素子２０の電極端子及び端子接続部４２ａの上方（Ｚ軸方向プラス側）を覆うように配置されており、上面視で（Ｚ軸方向から見て）、当該電極端子及び端子接続部４２ａに対応した形状（同図では、矩形状）を有している。また、第一凸部３１１は、後述する凹部３２０の第一凹部３２１や第二凹部３２２よりも突出して配置されている。
【００８３】
また、凸部３１０は、バスバー４２の中間部４２ｂに対向して配置される第二凸部３１２を有している。具体的には、第二凸部３１２は、中間部４２ｂの上方（Ｚ軸方向プラス側）を覆うように配置されており、上面視で（Ｚ軸方向から見て）、中間部４２ｂに対応した形状（同図では、矩形状）を有している。また、第二凸部３１２は、第一凸部３１１よりも突出して形成されている。
【００８４】
凹部３２０は、異なる２つの蓄電素子２０の電極端子（例えば、蓄電素子２０Ｊの負極端子２５及び蓄電素子２０Ｋの正極端子２４）に対向して配置される２つの第一凸部３１１の間に配置される第一凹部３２１を有している。具体的には、第一凹部３２１は、隣り合う２つのバスバー４２の間において、蓄電素子２０の容器２１の蓋部分に対向して配置されており、上面視で（Ｚ軸方向から見て）、当該２つのバスバー４２の間の空間に対応した形状（同図では、矩形状）を有している。なお、第一凹部３２１は、上記実施の形態における第一凹部１２１〜１２６と同様の構成を有している。
【００８５】
また、凹部３２０は、同一の蓄電素子２０の２つの電極端子（例えば、蓄電素子２０Ｉの正極端子２４及び負極端子２５）に対向して配置される２つの第一凸部３１１の間に配置される第二凹部３２２を有している。なお、第二凹部３２２は、上記実施の形態における第二凹部１２７〜１２９と同様の構成を有している。
【００８６】
さらに、凹部３２０は、２つの端子接続部４２ａのうちの少なくとも１つの端子接続部４２ａに対向して配置される、第二凸部３１２よりも凹んだ第三凹部３２３を有している。本変形例では、第三凹部３２３は、上述の第一凸部３１１である。つまり、第一凸部３１１は、第一凹部３２１や第二凹部３２２に対しては凸部であるが、第二凸部３１２に対しては凹部であるため、第三凹部３２３と言い換えることもできる。
【００８７】
以上のような構成において、図６で説明したように、導電部材１２は、凹部３２０に配置される。つまり、導電部材１２は、第一凹部３２１、第二凹部３２２及び第三凹部３２３のいずれかの凹部に配置される。
【００８８】
ここで、例えば、Ｘ軸方向に導電部材１２を延設して配置する場合（図６における第二導電部材１２Ｂや第三導電部材１２Ｃのような場合）には、導電部材１２を第一凹部３２１に配置してＸ軸方向に延設すれば、導電部材１２が第二凸部３１２と干渉してしまう。
【００８９】
具体的には、蓄電素子２０Ｊの負極端子２５と蓄電素子２０Ｋの正極端子２４との間に対向して配置される第一凹部３２１および第二凹部３２２によって形成された溝形状の部分に、導電部材１２を配置することは可能である。しかし、隣接する蓄電ユニット１０に亘って、Ｘ軸方向に向けて真っ直ぐに延設して配置される導電部材１２（図６における第二導電部材１２Ｂや第三導電部材１２Ｃ）については、蓄電素子２０Ｊの正極端子２４と蓄電素子２０Ｋの負極端子２５との間に対向して配置される第二凸部３１２と導電部材１２とが、Ｚ軸方向に重なるように配置されることになるため、ユニット全体の高さ方向の寸法が大きくなってしまう。
【００９０】
このような場合には、導電部材１２をＸ軸方向両側の第三凹部３２３（及び第二凹部３２２）に配置することで、Ｘ軸方向に平行に導電部材１２を配置することができる。また、図６に示したように、導電部材１２をコネクタ６１に接続する場合には、導電部材１２を第一凹部３２１にも配置することができる。例えば、図６における第一導電部材１２Ａについては、第一凹部３２１にも問題なく配置できる。
【００９１】
図６における第二導電部材１２Ｂや第三導電部材１２Ｃについては、上述したＺ軸方向の干渉の課題に対する他の解決方法として、例えば、第二凹部３２２または隣接する蓄電ユニット１０の間において導電部材１２を屈曲させて、第二凸部３１２を回避して第一凹部３２１に導電部材１２を配置することが可能である。
【００９２】
なお、本変形例におけるその他の構成については、上記実施の形態と同様であるため、詳細な説明は省略する。
【００９３】
以上のように、本変形例に係る蓄電装置によれば、上記実施の形態と同様の効果を奏することができる。特に、蓄電ユニットの外装体（蓋体３００）は、バスバー４２の中間部４２ｂに対向して配置される第二凸部３１２を有している。つまり、バスバー４２の中間部４２ｂが外方へ突出している場合には、中間部４２ｂに沿って外装体を形成すると、外装体の中間部４２ｂに対向する位置に第二凸部３１２が形成され、第二凸部３１２に隣接する位置に凹部３２０が形成される。これにより、蓄電ユニットに接続される外部配線等の導電部材を凹部３２０に配置することで、凹部３２０内の空間を有効活用し、省スペース化を図ることができる。
【００９４】
また、蓄電ユニットの外装体（蓋体３００）は、バスバー４２の端子接続部４２ａに対向して配置される第三凹部３２３を有している。つまり、バスバー４２のうちの端子接続部４２ａは中間部４２ｂよりも凹んでいるため、バスバー４２に沿って外装体を形成すると、端子接続部４２ａに対向した第三凹部３２３が形成される。これにより、蓄電ユニットに接続される外部配線等の導電部材を第三凹部３２３に配置することで、第三凹部３２３内の空間を有効活用し、省スペース化を図ることができる。
【００９５】
なお、バスバー４２において、中間部４２ｂは、端子接続部４２ａからＺ軸方向プラス側に突出して設けられた湾曲状の部位であることとした。しかし、中間部４２ｂが上述のような湾曲状ではない平板状等の場合でも、中間部４２ｂに電圧や温度計測用のハーネス等が接続されることで、当該ハーネス等との接続部分が端子接続部４２ａから突出する場合には、蓋体３００は、上記構成と同様の凸部を有することとなる。この場合、上記変形例と同様のことが言え、上記変形例と同様の効果を奏することができる。
【００９６】
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなく特許請求の範囲によって示され、特許請求の範囲と均等の意味及び範囲内での全ての変更が含まれることが意図される。
【００９７】
例えば、上記実施の形態では、蓄電ユニット１０として、複数の蓄電素子２０を備えた電池モジュールを例示したが、複数の電池モジュールを備えた電池パックを蓄電ユニット１０としてもよい。上記変形例についても同様である（以下についても同様）。
【００９８】
また、上記実施の形態では、蓋体１００に形成される凹部１２０は、２つの凸部１１０の間に形成されているものとしたが、１つの凸部１１０に隣接した凹部（蓋体１００の外面が階段状に凹んだ凹部）を凹部１２０としてもよい。
【００９９】
また、上記実施の形態では、導電部材１２は、外部配線であることとしたが、導電部材１２は、外部配線以外の導電部材であってもよい。例えば、基板、ヒューズ、リレー、サーミスタ、その他の電気部品等を導電部材１２としてもよい。
【０１００】
また、上記実施の形態では、蓄電装置１は、３つの蓄電ユニット１０が一列に並んで配置されていることとしたが、蓄電装置１が備える蓄電ユニット１０の個数及び並べ方は、上記には限定されない。例えば、蓄電ユニット１０は１つしか配置されていなくてもよいし、蓄電ユニット１０が複数配置される場合には、いくつの蓄電ユニット１０がどのような位置に配置されてもかまわない。
【０１０１】
また、上記実施の形態では、導電部材１２は、図６に示すような位置に配置されることとしたが、それぞれの導電部材１２は、それぞれの蓄電ユニット１０が有する蓋体１００の凹部１２０のうちのどの凹部に配置されてもかまわない。
【０１０２】
また、上記実施の形態では、蓋体１００に保持部１１３ａ、１１４ａが設けられて、ハーネスカバー７０が配置されることとした。しかし、蓋体１００に保持部１１３ａ、１１４ａが設けられることなくハーネスカバー７０が配置される構成でもよいし、ハーネスカバー７０が配置されない構成でもかまわない。
【０１０３】
また、上記実施の形態では、蓄電ユニット１０は、凹部１２０に向いて開口した接続口６１ａを有するコネクタ６１を蓋体１００の中央部に備えており、コネクタ６１に外部配線が接続されることとした。しかし、コネクタ６１は、蓋体１００のどの位置に配置されていてもよいし、コネクタ６１の接続口６１ａは、どの方向に向いて開口していてもよい。または、蓄電ユニット１０は、コネクタ６１を有しておらず、開口部１００ａから延びる配線等が凹部１２０に配置されることにしてもよい。
【０１０４】
また、上記実施の形態では、蓋体１００には、ハーネスプレート５０に当接するリブ１３０と、接続部材４１に当接しサーミスタ６３近傍の開口部３１の一部を塞ぐリブ１３１とが設けられていることとした。しかし、リブ１３０は、ハーネスプレート５０に当接していなくてもよく、また、リブ１３１は、接続部材４１に当接していなくてもよいし、開口部３１の全部を塞いでいてもよい。または、蓋体１００には、リブ１３０、１３１が設けられていない構成でもかまわない。または、ハーネスプレート５０やサーミスタ６３が配置されていない構成でもかまわない。
【０１０５】
また、上記実施の形態及びその変形例に含まれる構成要素を任意に組み合わせて構築される形態も、本発明の範囲内に含まれる。
【０１０６】
なお、本発明は、蓄電装置として実現することができるだけでなく、当該蓄電装置が備える外装体（蓋体１００または３００）としても実現することができる。
【産業上の利用可能性】
【０１０７】
本発明は、リチウムイオン二次電池などの蓄電素子を備えた蓄電装置に適用できる。
【符号の説明】
【０１０８】
１  蓄電装置
１０  蓄電ユニット
１０Ａ  第一蓄電ユニット
１０Ｂ  第二蓄電ユニット
１１  外装体
１２  導電部材
１２Ａ  第一導電部材
１２Ｂ  第二導電部材
２０、２０Ａ〜２０Ｋ  蓄電素子
２２、２４  正極端子
２３、２５  負極端子
３１  開口部
４０、４２  バスバー
４２ａ  端子接続部
４２ｂ  中間部
５０  ハーネスプレート
６０  内部配線
６１、６２  コネクタ
６１ａ  接続口
６３  サーミスタ
１００、３００  蓋体
１０１、１０２、１１０〜１１８、３１０  凸部
１０３  底面
１１３ａ、１１４ａ  保持部
１２０、３２０  凹部
１２１〜１２６、３２１  第一凹部
１２７〜１２９、３２２  第二凹部
１３０、１３１  リブ
３１１  第一凸部
３１２  第二凸部
３２３  第三凹部
【図１】
2018156932.tif 000003
【図２】
2018156932.tif 000004
【図３】
2018156932.tif 000005
【図４】
2018156932.tif 000006
【図５】
2018156932.tif 000007
【図６】
2018156932.tif 000008
【図７】
2018156932.tif 000009
【図８】
2018156932.tif 000010